(57)【要約】【課題】本発明は水球の製造のための水充填作業及び水球の口結び作業を効率良く行えることを課題とする。【解決手段】口結び補助機能付き水球充填装置Ａは、中空本体１０と、給水側接続部２０と、風船嵌合管３０と、口結び補助用突出部４０とを有する。中空本体１０の上端側に形成された第一端部１１内には、給水側接続部２０が開口している。また、給水側接続部２０の内周には、水道の給水栓０５などからなる給水装置の吐出口が接続される。風船嵌合管３０は、上側基端には中空部１０ａを介して給水側接続部２０に連通される通水口３１が開口し、下側先端には吐出口３２が開口している。口結び補助用突出部４０は、少なくとも一つが中空本体１０の外周側壁１３より半径方向に延在するように突出して設けられ、且つ縦断面形状がＵ字状の凹形状に形成され、凹形状には、Ｕ字状の底縁部４１と、先端側に傾斜する一対の側縁部４２とが形成されている。【選択図】図１
2011162208.tif 000002
【特許請求の範囲】
【請求項１】
内部に中空部が形成された中空本体と、
前記中空部の一端に連通された第一端部内に設けられ、給水管または給水装置または管路接続器の何れかが接続される給水側接続部と、
前記中空部の他端に連通された第二端部に突出して設けられ、先端に風船の開口端が嵌合される風船嵌合管と、
該風船嵌合管の基端に設けられ、前記中空部を介して前記給水側接続部に連通される通水口と、
前記風船嵌合管の先端に嵌合された風船に水を吐出するように設けられた吐出口と、
前記中空本体の外周側壁より外側に突出して設けられ、前記風船嵌合管の前記吐出口から水が充填された水球の開口端を結ぶための口結び補助用突出部と、を備え、
該口結び補助用突出部は、縦断面形状が凹形状に形成され、当該凹形状の底縁部の両側に一対の側縁部が形成されることを特徴とする口結び補助機能付き水球充填装置。
【請求項２】
前記給水側接続部の内周には、前記給水管または給水装置または管路接続器の何れかが螺合される雌ねじが設けられていることを特徴とする請求項１に記載の口結び補助機能付き水球充填装置。
【請求項３】
前記口結び補助用突出部は、前記中空本体の外周側壁の複数箇所より半径方向に突出するように設けられことを特徴とする請求項１又は２に記載の口結び補助機能付き水球充填装置。
【請求項４】
前記口結び補助用突出部は、前記中空本体の外周側壁の２箇所又は３箇所より半径方向に突出するように設けられ、周方向の挟み角が１２０度となるよう設けられたことを特徴とする請求項１又は２に記載の口結び補助機能付き水球充填装置。
【請求項５】
前記風船嵌合管は、前記中空本体の第二端部と一体に突出するように構成されることを特徴とする請求項１乃至４の何れかに記載の口結び補助機能付き水球充填装置。
【請求項６】
前記風船嵌合管の上端部に形成された球状体と、
前記中空本体の第一端部の内部に設けられ、前記球状体の下部を回動可能に支持する下部球状支持部と、
前記下部球状支持部の中央に設けられ、前記中空部に連通する貫通口と、
前記球状体の上部に設けられ、当該球状体を上方から押圧して保持する保持部材と、
前記保持部材に設けられ、前記給水側接続部と前記風船嵌合管との間を連通する通水用孔と、
前記保持部材の下端に設けられ、前記球状体の上部に当接する上部球状支持部と、
前記上部球状支持部と前記球状体の上部との間をシールするシール部材と、
を備え、
前記風船嵌合管の下端部は、前記貫通口を貫通されて下方に揺動可能に突出されたことを特徴とする請求項１乃至５の何れかに記載の口結び補助機能付き水球充填装置。
【請求項７】
前記保持部材の上端には、工具が係合される工具用係合部が設けられ、
前記中空本体と前記保持部材とは、前記中空本体の第一端部の内周に設けられた雌ねじと、前記保持部材の外周に設けられた雄ねじとの螺合により締結され、前記保持部材の工具用係合部に前記工具が係合されて回動されることにより位置決めされることを特徴とする請求項６に記載の口結び補助機能付き水球充填装置。
【請求項８】
前記給水側接続部が内周に設けられ、前記中空本体の第一端部に接続される回転リングと、
前記回転リングの底部に設けられ、段差形状となる小径段差部と、
前記中空本体の第一端部の外周に設けられ、前記回転リングの小径段差部を支持すると共に、前記小径段差部を位置決めする環状鍔部と、
前記保持部材の上端外周に設けられ、前記回転リングの小径段差部を内側から保持する保持用鍔部と、
を備え、
前記回転リングは、前記小径段差部が前記保持用鍔部と前記環状鍔部との間で回転可能に保持されることを特徴とする請求項６又は７に記載の口結び補助機能付き水球充填装置。
【請求項９】
前記給水側接続部に接続されるクランプ式管路接続器を有し、
前記クランプ式管路接続器は、
既有物の上面に当接する当接部を有する固定部と、該固定部に移動可能に設けられ、前記当接部に対向するように配された可動部と、を有するクランプホルダと、
前記クランプホルダの上部に固定された接続管路と、
該接続管路に設けられ、既有導水管路が接続される管路接続部と、
前記接続管路に設けられ、前記中空本体の給水側接続部と接続される充填装置本体接続部と、
該充填装置本体接続部に設けられ、給水を制御する制御弁と、
を備えたことを特徴とする請求項１乃至８の何れかに記載の口結び補助機能付き水球充填装置。
【請求項１０】
前記接続管路は、前記中空本体の給水側接続部が接続される横置き充填装置本体接続部と、縦置き充填装置本体接続部とを有することを特徴とする請求項９に記載の口結び補助機能付き水球充填装置。
【請求項１１】
前記接続管路の上部には、未充填の風船を収納する収納ケースが設けられ、
該収納ケースは、前記接続管路の上部より突出する係止ポールに係止される係止孔が設けられていることを特徴とする請求項９又は１０に記載の口結び補助機能付き水球充填装置。
【発明の詳細な説明】
【技術分野】
【０００１】
本発明は、風船に水を充填して水球を形成すると共に、水球の口結びを行なえるよう構成された口結び補助機能付き水球充填装置に関する。
【背景技術】
【０００２】
暑い夏の季節に、水球投げは多くの人にとって、非常に面白くて、暑さを凌げる遊びだと思われる。さらに複数の人がグループで参加する団体ゲームでは、水球投げを取り入れて、ゲームの内容を豊富にすることも行なわれている。
【０００３】
水球投げを行なう前の準備作業としては、先ず水を風船に充填して、風船の開口端を結ぶこと。しかしながら、水が風船に充填されてから生じる水圧や重さによって、水の充填や口結びの作業を手作業で行なうことが難しく、水球の準備作業を効率良く行なえることが要望されている。
【０００４】
また、風船の口結び作業を補助する補助技術としては、例えば、以下に挙げるような特許文献がある。
〔１〕１９９６年１０月２９日に公開された米国特許ＵＳ５５６８９５０（特許文献１）には、人の指部位に装着され、風船に水を充填した後に当該水球の開口端を結ぶのに用いられるためのＵ形の断面形状を有する口結び部が当該被装着指より突出するように構成された風船の口結び補助具が開示されている。
〔２〕１９９９年３月１６日に公開された米国特許ＵＳ５８８２０５１（特許文献２）には、リング状部材からなり、当該リング状部材の外周片側に所定間隔で突出する一つの突起部が二つあり、当該一対の突起部により、風船に水を充填した後に当該水球の開口端の口結びが行われるように構成された手持式風船の口結び補助具が開示されている。
〔３〕２０００年７月４日に公開された米国特許ＵＳ６０８２７８５（特許文献３）には、長柄状に形成された長柄状本体を有し、当該長柄状本体の一側端部に開口溝があり、風船に水を充填した後に当該水球の風船の開口端を当該開口溝に巻き付けて口結びが行われるように構成された風船の口結び補助具が開示されている。
〔４〕２００５年６月７日に公開される米国特許ＵＳ６９０２２１２（特許文献４）には、人の指に装着されるリング体及び当該指に嵌められたリング体の外周片側に突出する一対の円柱状突起が設けられ、当該一対の円柱状突起に、風船に水を充填した後に当該水球の開口端を巻き付けて口結びが行えるように構成された風船の口結び補助具が開示されている。
【先行技術文献】
【特許文献】
【０００５】
【特許文献１】米国特許第５５６８９５０号
【特許文献２】米国特許第５８８２０５１号
【特許文献３】米国特許第６０８２７８５号
【特許文献４】米国特許第６９０２２１２号
【発明の概要】
【発明が解決しようとする課題】
【０００６】
しかしながら、上述した特許文献１〜４に開示された風船の口結び補助具は、上述のような水球の口結び作業を効率良く行えるように構成されているが、風船に水を充填する水充填装置による水充填作業とはうまく連携されないため、水球を製造する際の水充填作業に手間取ることがあるという問題があった。
そこで、本発明は上記事情に鑑み、上記課題を解決した口結び補助機能付き水球充填装置を提供することを目的とする。
【課題を解決するための手段】
【０００７】
上記課題を解決するため、本発明は以下のような手段を有する。
（１）本発明は、内部に中空部が形成された中空本体と、
前記中空部の一端に連通された第一端部内に設けられ、給水管または給水装置または管路接続器の何れかが接続される給水側接続部と、
前記中空部の他端に連通された第二端部に突出して設けられ、先端に風船の開口端が嵌合される風船嵌合管と、
該風船嵌合管の基端に設けられ、前記中空部を介して前記給水側接続部に連通される通水口と、
前記風船嵌合管の先端に嵌合された風船に水を吐出するように設けられた吐出口と、
前記中空本体の外周側壁より外側に突出して設けられ、前記風船嵌合管の前記吐出口から水が充填された水球の開口端を結ぶための口結び補助用突出部と、を備え、
該口結び補助用突出部は、縦断面形状が凹形状に形成され、当該凹形状の底縁部の両側に一対の側縁部が形成されることを特徴とする。
（２）本発明は、前記給水側接続部の内周には、前記給水管または給水装置または管路接続器の何れかが螺合される雌ねじが設けられていることを特徴とする。
（３）本発明の前記口結び補助用突出部は、前記中空本体の外周側壁の複数箇所より半径方向に突出するように設けられことを特徴とする。
（４）本発明の前記口結び補助用突出部は、前記中空本体の外周側壁の２箇所又は３箇所より半径方向に突出するように設けられ、周方向の挟み角が１２０度となるよう設けられたことを特徴とする。
（５）本発明の前記風船嵌合管は、前記中空本体の第二端部と一体に突出するように構成されることを特徴とする。
（６）本発明は、前記風船嵌合管の上端部に形成された球状体と、
前記中空本体の第一端部の内部に設けられ、前記球状体の下部を回動可能に支持する下部球状支持部と、
前記下部球状支持部の中央に設けられ、前記中空部に連通する貫通口と、
前記球状体の上部に設けられ、当該球状体を上方から押圧して保持する保持部材と、
前記保持部材に設けられ、前記給水側接続部と前記風船嵌合管との間を連通する通水用孔と、
前記保持部材の下端に設けられ、前記球状体の上部に当接する上部球状支持部と、
前記上部球状支持部と前記球状体の上部との間をシールするシール部材と、
を備え、
前記風船嵌合管の下端部は、前記貫通口を貫通されて下方に揺動可能に突出されたことを特徴とする。
（７）本発明の前記保持部材の上端には、工具が係合される工具用係合部が設けられ、
前記中空本体と前記保持部材とは、前記中空本体の第一端部の内周に設けられた雌ねじと、前記保持部材の外周に設けられた雄ねじとの螺合により締結され、前記保持部材の工具用係合部に前記工具が係合されて回動されることにより位置決めされることを特徴とする。
（８）本発明は、前記給水側接続部が内周に設けられ、前記中空本体の第一端部に接続される回転リングと、
前記回転リングの底部に設けられ、段差形状となる小径段差部と、
前記中空本体の第一端部の外周に設けられ、前記回転リングの小径段差部を支持すると共に、前記小径段差部を位置決めする環状鍔部と、
前記保持部材の上端外周に設けられ、前記回転リングの小径段差部を内側から保持する保持用鍔部と、
を備え、
前記回転リングは、前記小径段差部が前記保持用鍔部と前記環状鍔部との間で回転可能に保持されることを特徴とする。
（９）本発明は、前記給水側接続部に接続されるクランプ式管路接続器を有し、
前記クランプ式管路接続器は、
既有物の上面に当接する当接部を有する固定部と、該固定部に移動可能に設けられ、前記当接部に対向するように配された可動部と、を有するクランプホルダと、
前記クランプホルダの上部に固定された接続管路と、
該接続管路に設けられ、既有導水管路が接続される管路接続部と、
前記接続管路に設けられ、前記中空本体の給水側接続部と接続される充填装置本体接続部と、
該充填装置本体接続部に設けられ、給水を制御する制御弁と、を備えたことを特徴とする。
（１０）本発明の前記接続管路は、前記中空本体の給水側接続部が接続される横置き充填装置本体接続部と、縦置き充填装置本体接続部とを有することを特徴とする。
（１１）本発明の前記接続管路の上部には、未充填の風船を収納する収納ケースが設けられ、
該収納ケースは、前記接続管路の上部より突出する係止ポールに係止される係止孔が設けられていることを特徴とする。
【発明の効果】
【０００８】
本発明によれば、風船嵌合管に風船の開口端を嵌合させて当該風船に水を充填して水球を製造すると共に、当該水球の開口端を口結び補助用突出部に巻き付けて容易に結ぶことができる。従って、水球の水充填作業と水球の口結び作業とを連続して効率良く行なうことが可能になり、水球の下準備を順調に行うことができる。
また、本発明によれば、風船嵌合管を回動可能に支持する構成とすることで、水の充填作業を行なう際に風船の装着方向や装着角度を適宜調整することが可能になり、水充填作業の操作を行なう際に無理な姿勢をとらずに行える。
【０００９】
また、本発明によれば、水球充填装置をクランプホルダにより屋外の机用板、椅子用板、手すりなど既有物に安定的に固定することができるので、水球を製造する際の水充填作業及び水球の口結び作業を何処でも効率良く行なうことが可能になる。
【００１０】
また、本発明によれば、水球充填装置に収納ケースが設けられるため、未充填の風船を収納ケースに載置することで、水球の製造作業行なう際に未使用の風船の補充がスムーズに行えると共に、複数の水球を連続して効率良く行える。
【図面の簡単な説明】
【００１１】
【図１】本発明による口結び補助機能付き水球充填装置の一実施例を示す斜視図である。
【図２】図１に示す水球充填装置により風船に水を充填する様子を示す縦断面図である。
【図３】水充填後の水球の開口端を口結び補助用突出部に巻き付けた状態を示す斜視図である。
【図４】二つの口結び補助用突出部が形成された構成を示す平面図である。
【図５】三つの口結び補助用突出部が形成された構成を示す平面図である。
【図６】水球充填装置の変形例１を示す分解斜視図である。
【図７】変形例１の風船嵌合管の回動範囲を示す縦断面図である。
【図８】水球充填装置の変形例２を示す分解斜視図である。
【図９】水球充填装置の変形例３を示す分解斜視図である。
【発明を実施するための形態】
【００１２】
以下、図面を参照して本発明を実施するための形態について説明する。
【実施例１】
【００１３】
図１は本発明による口結び補助機能付き水球充填装置の一実施例を示す斜視図である。図２は図１に示す水球充填装置により風船に水を充填する様子を示す縦断面図である。図１及び図２に示されるように、口結び補助機能付き水球充填装置Ａは、中空本体１０と、給水側接続部２０と、風船嵌合管３０と、口結び補助用突出部４０とを有する。
中空本体１０は、内部に中空部１０ａが形成され、当該中空部１０ａに連通されるように上端、下端に形成された第一端部１１、第二端部１２を有する。また、中空本体１０の外周に形成された外周側壁１３には、口結び補助用突出部４０が少なくとも一つ外側に向けて半径方向に突出するように設けられている。
【００１４】
また、中空本体１０の上端側に形成された第一端部１１内には、給水側接続部２０が開口するように設けられている。また、給水側接続部２０の内周には、水道の給水栓０５などからなる給水装置の吐出口が接続される雌ねじ１５が形成されている。尚、給水側接続部２０には、給水装置以外にも、例えば、給水管または管路接続器等に接続されるように構成しても良い。
【００１５】
風船嵌合管３０は、中空本体１０の下端側に形成された第二端部１２と一体に設けられ、第二端部１２の垂下方向に突出して設けられている。また、風船嵌合管３０は、上側基端には中空部１０ａを介して給水側接続部２０に連通される通水口３１が開口し、下側先端には吐出口３２が開口している。
【００１６】
口結び補助用突出部４０は、少なくとも一つが中空本体１０の外周側壁１３より半径方向に延在するように突出して設けられている。また、口結び補助用突出部４０は、縦断面形状がＵ字状の凹形状に形成され、凹形状には、Ｕ字状の底縁部４１と、底縁部４１の両側を囲むように起立し、且つ先端側に傾斜する一対の側縁部４２とが形成されている。
【００１７】
図２に示されるように、水球充填装置Ａにおいて、給水側接続部２０の雌ねじ１５に給水栓０５の吐出口の外周に形成された雄ねじが螺入されている。
【００１８】
未充填の風船５０に水を充填する際は、先ず、未充填の風船５０の開口端５１を風船嵌合管３０の先端外周に嵌合させるように取り付ける。次に給水栓０５のハンドルＨを回して給水栓０５を開弁させると、水道からの水Ｗが当該水球充填装置Ａの給水側接続部２０及び中空部１０ａ、風船嵌合管３０の通水口３１、吐出口３２を経て、当該風船５０の内部に充填される。そして、風船５０が給水された水Ｗの圧力により所定の大きさ（水球として使用可能な大きさ）に膨らむと、給水栓０５のハンドルＨを閉止方向に回して水Ｗの充填を終了する。
【００１９】
図３は水充填後の水球の開口端を口結び補助用突出部に巻き付けた状態を示す斜視図である。図３に示されるように、水Ｗが充填された水球５０Ａは、開口部５１が風船嵌合管３０の吐出口３２から外されて口結び補助用突出部４０に巻き付けられる。口結び補助用突出部４０は、縦断面形状がＵ字状に形成されているので、操作者は開口部５１を上方から下方に巻き付けた後、凹形状とされた底縁部４１に沿って開口端５１を手前側に引き出すように操作する。
【００２０】
ここで、口結びの操作方法について詳しく説明する。先ず、当該水球５０Ａの開口端５１を口結び補助用突出部４０の一対の側縁部４２の上方を跨ぐ方向（矢印Ｌ１方向）に巻き付ける。続いて、開口端５１を口結び補助用突出部４０の底縁部４１の下側に沿って曲がる方向（矢印Ｌ２方向）に引き出す。それから、開口端５１を口結び補助用突出部４０の底縁部４１と一対の側縁部４２との間に形成されている凹空間に通す。その後、開口端５１を手前へと引っ張り出す方向（矢印Ｌ３方向）に引き出す。これで、水球５０Ａの開口端５１の口結び操作が完了する。
【００２１】
この後、口結び補助用突出部４０に巻き付けられた開口端５１を一対の側縁部４２に沿ってその傾斜方向にスライドさせると、開口端５１が巻き付け部分の中を挿通された状態で口結び補助用突出部４０の先端側に引き出されると共に、開口端５１の閉止が完了する。
【００２２】
このように、開口端５１の口結びの操作は、風船５０への水充填操作が終了した後、口結び補助用突出部４０に巻き付けることで連続して行なわれるため、水球５０Ａの製造が効率良く短時間で行える。
【００２３】
図４は二つの口結び補助用突出部が形成された構成を示す平面図である。図４に示されるように、口結び補助用突出部４０は、中空本体１０の外周側壁１３の２箇所（２方向）に設けられている。各口結び補助用突出部４０の周方向の間隔は、挟み角Ｘが１２０度に設定されている。従って、風船５０に水Ｗを充填した後、口結び操作を２箇所の口結び補助用突出部４０で行なうことが可能であり、例えば、一方の口結び補助用突出部４０に水球５０Ａを口結び操作した状態で保持しながら、次の水球５０Ａの口結び操作を他方の口結び補助用突出部４０で行なうことが可能になる。
【００２４】
図５は三つの口結び補助用突出部が形成された構成を示す平面図である。図５に示されるように、口結び補助用突出部４０は、中空本体１０の外周側壁１３の３箇所（３方向）に設けられている。各口結び補助用突出部４０の周方向の間隔は、挟み角Ｘが１２０度に設定されている。従って、風船５０に水Ｗを充填した後、口結び操作を３箇所の口結び補助用突出部４０で行なうことが可能であり、例えば、一方の口結び補助用突出部４０に水球５０Ａを口結び操作した状態で保持しながら、次の水球５０Ａの口結び操作を他方の口結び補助用突出部４０で行なうことが可能になるので、合計３個の水球５０を各口結び補助用突出部４０に締結させることも可能になる。
【００２５】
図６は水球充填装置の変形例１を示す分解斜視図である。図７は変形例１の風船嵌合管の回動範囲を示す縦断面図である。
【００２６】
図６及び図７に示されるように、変形例１では、風船嵌合管３０Ｂが中空本体１０の底部において、図７図の矢印Ｌ４方向に揺動可能に保持されている。風船嵌合管３０Ｂは、上端に球状体３３が設けられ、下端に吐出口３２が設けられている。また、球状体３３の上端中央には、通水口３１Ｂが開口している。尚、風船嵌合管３０Ｂは、球状体３３が上下方向から回動可能に保持されるため、自在継手のようにどの方向にも傾斜させることが可能になる。
【００２７】
中空本体１０の中空部１０ａの第一端部１１側の内部には、球状体３３を支持する球面凹部からなる下部球状支持部１４が形成されており、下部球状支持部１４の中央には貫通口１４０が開口している。風船嵌合管３０Ｂは、先端部分が貫通口１４０を遊嵌状態で貫通されており、貫通口１４０の内周縁部に当接するまでどの方向にも傾斜させることができる。
【００２８】
また、中空本体１０の中空部１０ａには、球状体３３の上部に当接して風船嵌合管３０Ｂを位置決めするように保持する保持部材６０が螺入されている。保持部材６０は、下端に球状体３３の上部に当接する上部球状支持部６２を有する。
さらに、保持部材６０は、給水側接続部２０の内周に形成された雌ねじ１５に螺入される雄ねじ６４が設けられている。そして、保持部材６０の上端には、中空本体１０の上端面に当接する保持用鍔部６６が半径方向に突出している。
【００２９】
従って、保持部材６０の雄ねじ６４を中空本体１０の雌ねじ１５に螺入させる際は、保持用鍔部６６が中空本体１０の上端面に当接することで上部球状支持部６２が球状体３３の上部に当接する位置を位置決めされる。また、保持部材６０は、中央には、軸線に沿うように延在形成されて給水側接続部２０と風船嵌合管３０との間を連通する通水用孔６１が設けられている。
【００３０】
さらに、保持部材６０は、上部球状支持部６２の中心部分に球状体３３の外周面に密着して液密にシールするシール部材（Ｏリング）６３が装着されている。このシール部材６３は、保持部材６０の通水用孔６１と通水口３１Ｂとの間に介在して風船嵌合管３０の外側に水が流出することを防止する。
【００３１】
また、保持部材６０の上部には、工具（例えば、六角レンチ）が係合される工具用係合部６５（例えば、六角形凹溝）が設けられている。そのため、保持部材６０を中空本体１０の雌ねじ１５に螺入させる際は、工具用係合部６５に工具を係合させて保持部材６０を軸回りに回動させることで、容易に組み付けることができる。
【００３２】
本変形例１の風船嵌合管３０Ｂは、球状体３３が上下方向から回動可能に保持されているので、水球製造時には、操作しやすい角度に揺動させることができ、風船５０に水Ｗを充填する際の作業性が向上して水球の製造を効率良く行える。
【００３３】
さらに、保持部材６０は、円筒形状に形成された回転リング７０を回転可能に保持するように半径方向に突出する保持用鍔部６６を有する。
回転リング７０の上端内周には、雌ねじ１５Ｂを有する給水側接続部２０Ｂが設けられている。さらに、回転リング７０の下端底部には、内側に延在して環状の段差形状に形成される小径段差部７１が設けられている。また、回転リング７０は、小径段差部７１の下面が中空本体１０の第一端部１１外周に突出する環状鍔部１６に当接するように載置される。
【００３４】
また、保持部材６０を中空本体１０の雌ねじ１５に螺入させると共に、保持用鍔部６６が回転リング７０の小径段差部７１を上方から保持するように当接する。これにより、回転リング７０は、小径段差部７１の上下面が環状鍔部１６と保持用鍔部６６とにより回転可能に保持されると共に、上方への抜けが防止される。
【００３５】
変形例１において、回転リング７０の給水側接続部２０Ｂは、給水栓０５の吐出口が螺入される。従って、回転リング７０をねじ込み方向に回転させることで、水球充填装置Ａを簡単且つ短時間で給水栓０５に取り付けることができる。そして、水球製造時には、風船嵌合管３０Ｂを任意の方向に傾けた状態で、風船５０の開口端５１を風船嵌合管３０Ｂの吐出口３２に嵌合させることが可能になる。この後は、前述した説明と同様に、給水栓０５のハンドルＨを開弁方向に回して風船５０に水Ｗを充填する。そして、水球５０Ａへの水充填が完了した時点で給水栓０５を閉弁させて充填を終了し、水球５０Ａの開口部５１を風船嵌合管３０の吐出口３２から外して口結び補助用突出部４０に巻き付けて閉止する。
【００３６】
よって、変形例１の場合も前述した実施例の場合と同様に、風船５０への水充填操作が終了した後、開口端５１を口結び補助用突出部４０に巻き付けることで開口端５１の口結びの操作を連続して行なえるため、水球５０Ａの製造が効率良く短時間で行える。
【００３７】
図８は水球充填装置の変形例２を示す分解斜視図である。図８に示されるように、変形例２では、水球充填装置Ａにクランプ式管路接続器８０が取り付けられている。
【００３８】
クランプ式管路接続器８０は、クランプホルダ８１と、接続管路８２とを有する。クランプホルダ８１は、固定部８１１と、可動部８１２と、操作部８１３とを有する。クランプホルダ８１は、側面からみると空間８１４を形成するコ字状に形成されている。空間８１４の上側に配された固定部８１１の当接部８１１Ａは、机用板、椅子用板、手すりなどの既有物０６の上部に当接し、空間８１４の下側に配された可動部８１２は、机用板、椅子用板、手すりなどの既有物０６の下部に当接するように設けられている。
【００３９】
操作部８１３は、固定部８１１の支持部８１１Ｂに螺入される高さ調整用ねじ８１３ａを有しており、当該高さ調整用ねじ８１３ａの端部に可動部８１２が設けられている。従って、可動部８１２は、操作部８１３の回動操作によって昇降して当接部８１１Ａとの間の高さ方向の間隔を調整される。
【００４０】
水球充填装置Ａと共にクランプ式管路接続器８０を固定する際は、既有物０６の上部に固定部８１１の当接部８１１Ａを当接させ、可動部８１２が既有物０６の下部に当接するように操作部８１３を回動操作して可動部８１２によるクランプ力によってクランプホルダ８１を当該既有物０６に固定する。
【００４１】
尚、クランプホルダ８１の構成としては、上記構成に限るものではなく、例えば、操作部８１３をホルダ正面に設けて可動部８１２を前後方向に移動させることでレバー部材を回動させて既有物０６をクランプさせる構成としても良い。
【００４２】
接続管路８２は、クランプホルダ８１の固定部８１１上に一体的に結合されている。
【００４３】
また、接続管路８２は、固定部８１１上で左右方向に延在する第１管路８２Ａと、第１管路８２Ａの中間部より前方に向けて延在する第２管路８２Ｂとを有する。第１管路８２Ａは、左側端部に水道管または水道管に接続されたホース等からなる既有導水管路０７が接続される管路接続部８２１が設けられている。従って、管路接続部８２１は、既有導水管路０７が接続されることで、水が導入される。
【００４４】
また、第１管路８２Ａの右側端部には、横置きの充填装置本体接続部８２２Ａが設けられている。充填装置本体接続部８２２Ａは、水球充填装置Ａの中空本体１０に設けられた給水側接続部２０が螺入される。また、充填装置本体接続部８２２Ａは給水を制御するための制御弁８２３Ａが設けられている。
【００４５】
充填装置本体接続部８２２Ａに接続される水球充填装置Ａは、風船嵌合管３０を右側方に突出させる向きで取り付けられることになり、風船５０を右方向から装着可能となる。
【００４６】
第２管路８２Ｂの手前側の前端部は、下方に向くように曲げられており、その先端には縦置きの充填装置本体接続部８２２Ｂが設けられている。充填装置本体接続部８２２Ｂは、水球充填装置Ａの中空本体１０に設けられた給水側接続部２０が螺入される。また、充填装置本体接続部８２２Ｂは給水を制御するための制御弁８２３Ｂが設けられている。
【００４７】
充填装置本体接続部８２２Ｂに接続される水球充填装置Ａは、風船嵌合管３０を下方に突出させる向きで取り付けられることになり、風船５０を下方向から装着可能となる。
【００４８】
このように、接続管路８２は、操作者の好みにあわせて水球製造の作業がやりやすい方向を右側と手前下側の異なる方向の何れか一方に選択的に水球充填装置Ａを取り付けることが可能であり、あるいは水球製造効率を高めるために両方に２台の水球充填装置Ａを取り付けることも可能である。
【００４９】
尚、図８においては、水球充填装置Ａの風船嵌合管３０が中空本体１０と一体に設けられた構成を示しているが、図７に示されるように風船嵌合管３０Ｂを中空本体１０に対して揺動可能に設ける構成としても良い。
【００５０】
図９は水球充填装置の変形例３を示す分解斜視図である。図９に示されるように、変形例３では、上記変形例２に記載された接続管路８２の上方に、未充填の風船５０を収納する風船収納ケース９０が設けられている。
【００５１】
風船収納ケース９０は、長方形状の箱状に形成された収納部９２と、収納部９２を開閉する蓋９４とを有する。収納部９２の底部及び蓋９４には、複数の係止孔９１が設けられている。また、接続管路８２の上部には、係止孔９１に嵌合して係止される係止ポール８２４が上方に向けて起立している。
【００５２】
従って、変形例３では、接続管路８２の上部に未充填の風船５０を収納する風船収納ケース９０が係止ポール８２４によって係止されて固定されるため、水球を製造する際に風船収納ケース９０の収納部９２に載置された風船５０を取出しやすくなり、水球５０Ａを連続して製造する際に風船５０を探す手間が不要となり、その分水球５０Ａの製造を効率良く行なうことが可能になる。
【００５３】
尚、図９では、水球充填装置Ａを省略してあるが、接続管路８２に接続される水球充填装置Ａとしては、図１に示されるように風船嵌合管３０が中空本体１０と一体に設けられた構成としても良いし、図７に示されるように風船嵌合管３０Ｂを中空本体１０に対して揺動可能に設ける構成としても良い。
【００５４】
また、上記各実施例、変形例は、本発明の口結び補助機能付き水球充填装置の好適な一例であり、特許請求の範囲は、これら実施例、変形例の構造に制限されない。
【符号の説明】
【００５５】
Ａ  水球充填装置
Ｗ  水
０５  給水栓
０６  既有物
０７  導水管路
１０  中空本体
１０ａ  中空部
１１  第一端部
１２  第二端部
１３  外周側壁
１４  下部球状支持部
１４０  貫通口
１５  雌ねじ
１６  環状鍔部
２０  給水側接続部
３０、３０Ｂ  風船嵌合管
３１、３１Ｂ  通水口
３２  吐出口
４０  口結び補助用突出部
４１  底縁部
４２  側縁部
５０  風船
５０Ａ  水球
５１  開口端
６０  保持部材
６１  通水用孔
６２  上部球状支持部
６３  シール部材
６４  雄ねじ
６５  工具用係合部
６６  保持用鍔部
７０  回転リング
７１  小径段差部
８０  クランプ式管路接続器
８１  クランプホルダ
８１１  固定部
８１２  可動部
８１３  操作部
８１４  空間
８２    接続管路
８２Ａ  第１管路
８２Ｂ  第２管路
８２１  管路接続部
８２２Ａ、８２２Ｂ  充填装置本体接続部
８２３Ａ、８２３Ｂ  制御弁
８２４  係止ポール
９０    風船収納ケース
９１    係止孔
【図１】
2011162208.tif 000003
【図２】
2011162208.tif 000004
【図３】
2011162208.tif 000005
【図４】
2011162208.tif 000006
【図５】
2011162208.tif 000007
【図６】
2011162208.tif 000008
【図７】
2011162208.tif 000009
【図８】
2011162208.tif 000010
【図９】
2011162208.tif 000011